【事件の表示】
　平成　６年特許願第　　３３１８号「スロットマシン」拒絶査定不服審判事件〔平成　７年　８月　８日出願公開、特開平　７−２０４３１６〕について、次のとおり審決する。
【結　論】
　本件審判の請求は、成り立たない。
【理　由】
１．手続の経緯
　本願は、平成６年１月１８日の出願であって、平成１６年１月７日に拒絶査定がなされ、これに対し、同年２月１６日に拒絶査定に対する審判請求がなされるとともに、同年３月１７日付けで手続補正がなされたものである。
　　　　　　　　　　　　　　　　　　　　　　　　　　　　　　　　　
２．平成１６年３月１７日付けの手続補正（以下、「本件補正」という。）について
　　　　　　　　　　　　　　　　　　　　　　　　　　　　　　　　　
［補正却下の決定の結論］　
　平成１６年３月１７日付けの手続補正を却下する。
　　　　　　　　　　　　　　　　　　　　　　　　　　　　　　　　　
［理由］
　本件補正により、特許請求の範囲の請求項１は、
「予め定めた条件が整うことにより当該スロットマシンにおける遊技を終了させる打止機構を有するスロットマシンであって、上記スロットマシンは、予め定めた複数の打止モードの中から所望の打止モードを選択する打止モード選択手段と、該打止モード選択手段により選択した打止モードにおける打止条件を設定するための打止条件設定手段と、を備え、前記打止モード選択手段で選択される打止モードには、少なくともメダル払出枚数に基づく枚数打止モード及びビッグボーナス回数に基づくボーナス打止モードを有し、前記打止条件設定手段は、前記打止モード選択手段によって、前記枚数打止モードが選択されたときには前記打止条件として
所定枚数所定枚数
（上記記載中、下線を付加した「
所定枚数所定枚数
所定枚数
所定枚数
　　　　　　　　　　　　　　　　　　　　　　　　　　　　　　　　　
　上記補正は、補正前（平成１５年１１月２８日付け手続補正により補正された特許請求の範囲）の請求項１に記載した発明を特定するために必要な事項である「ボーナスゲーム中において、前記打止条件として設定された所定枚数のメダルが払い出されて打止条件を満足している場合」について、「打ち止め状態とせず」と限定するものであって、平成１８年改正前の特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前の特許法第１７条の２第５項において準用する同法第１２６条第５項の規定に適合するか）について以下に検討する。
　　　　　　　　　　　　　　　　　　　　　　　　　　　　　　　　　
（１）引用発明
引用刊行物；特開平３−３９１８２号公報
　　　　　　　　　　　　　　　　　　　　　　　　　　　　　　　　　
　原査定の拒絶の理由に引用された、本願の出願前に頒布された刊行物である上記の刊行物（特開平３−３９１８２号公報。以下、「引用例」という。）には「遊技機」に関して、以下の記載がある。
a．「遊技媒体の投入に対応する得点を用いて遊技が可能となる遊技機であって、遊技の継続を不能とするための予め定められた打止条件が複数種類用意され、該複数種類の打止条件の中から所望の打止条件を選択して入力設定可能な打止条件入力設定手段と、遊技の進行に伴なって、前記打止条件入力設定手段により入力設定された打止条件が成立したことを判定する打止条件成立判定手段と、該打止条件成立判定手段の判定出力に基づいて打止制御を行なう打止制御手段とを含むことを特徴とする、遊技機。」（特許請求の範囲）
b．「本発明は、たとえばパチンコ遊技機やアレンジボールあるいはスロットマシン等で代表される遊技機に関し、詳しくは、遊技媒体の投入に対応する得点を用いて遊技が可能となる遊技機に関する。」（第１頁左下欄第１９行−右下欄第２行）    
c．「差数（打込玉数−賞品玉の払出数）が一定値（負の値）以下になった場合に打止条件が成立し・・・」（第１頁右下欄第５−７行）
d．「第１図は、遊技機に含まれる弾球遊技機の一例のパチンコ遊技機の全体正面図である。」（第２頁左下欄第５−６行）
e．「本発明で言う遊技機は、パチンコ遊技機やアレンジボール式パチンコ遊技機等の弾球遊技機に限らず、たとえば、カード式アレンジボールやカード式スロットマシン等の遊技機であってもよい。また、現金の投入によりその投入額に応じた得点が付与され、付与された得点により遊技が可能な遊技機であってもよい。」（第６頁左下欄第４−１０行）
f．「パチンコ機制御基板ボックス５８には・・・内部に、打止条件設定部１２８・・・が設けられている。打止条件設定部１２８には、大当り打止設定スイッチ１２９，差数打止設定スイッチ１３０・・・が設けられている。・・・前記大当り打止設定スイッチ１２９は、その設定値が１〜９の範囲で設定可能であり、１〜９の範囲で設定した場合には大当り回数がその設定値に達した状態で打止制御が行なわれる。なお設定値を０にすれば、大当り回数による打止めは行なわれなくなる。差数打止設定スイッチ１３０は、１０００〜９９０００の範囲で１０００点単位で設定可能であり、１０００〜９９０００の範囲で設定した場合には当該遊技機の差数がその設定値に達した状態で打止制御が行なわれる。なお、設定値を００に設定すれば差数による打止めは行なわれなくなる。・・・打止条件設定部１２８により、遊技の継続を不能とするための予め定められた打止条件が複数種類用意され、該複数種類の打止条件の中から所望の打止条件を選択して入力設定可能な打止条件入力設定手段が構成されている。」（第８頁右下欄第１０行−第９頁右上欄第１２行）
g．「次にＳ１２に進み、玉送りソレノイドを能動化し、・・・次にＳ１５に進み、打球杆センサ５６（第３図参照）がＯＮからＯＦＦに切換わったか否かの判断がなされる。・・・そのＯＦＦへの切換えの瞬間にＳ１５によりＹＥＳの判断がなされ・・・前記Ｓ１５によりＮＯの判断がなされた場合・・・Ｓ２１に進み、入賞玉センサ１（丸数字）がＯＮになったか否かの判断がなされ、・・・」（第２０頁左上欄第１８行−右下欄第７行）
h．「打止条件入力設定手段（打止条件設定部１２８「第８図参照」）により設定された打止条件が成立すればＳ４９によりＹＥＳの判断がなされてＳ５０に進み、大当り中であるか否かの判断がなされ、大当り中である場合にはＳ５２に進む・・・」（第２２頁右上欄第１０−１５行）
i．「本実施例では、打止条件が成立したとしても大当り制御中であれば打止制御に移行しないようにした・・・」（第２２頁左下欄第１−３行）
j．「次に前記ループの巡回途中で、遊技者が精算ボタン１０（第１図参照）を押圧操作すれば、精算操作センサがＯＮになってＳ５２によりＹＥＳの判断がなされ・・・次に前記ループの巡回途中で、得点が所定値に達した場合には前記Ｓ５３によりＹＥＳの判断がなされてＳ５４に進み、所定値に到達した旨を遊技者に報知して前記Ｓ１２に戻る。」（第２２頁左下欄第５−１５行、第１３Ａ図）
　　　　　　　　　　　　　　　　　　　　　　　　　　　　　　　　　
　上記の記載によれば、引用例（特開平３−３９１８２号公報）には、以下の発明（以下、「引用発明」という）が記載されていると認められる。
「遊技の継続を不能とするための予め定められた打止条件が複数種類用意され、該複数種類の打止条件の中から所望の打止条件を選択して入力設定可能な打止条件入力設定手段と、遊技の進行に伴なって、前記打止条件入力設定手段により入力設定された打止条件が成立したことを判定する打止条件成立判定手段と、該打止条件成立判定手段の判定出力に基づいて打止制御を行なう打止制御手段とを含む、パチンコ遊技機やスロットマシン等で代表される遊技機であって、パチンコ機制御基板ボックス５８の内部には、遊技の継続を不能とするための予め定められた打止条件が複数種類用意された打止条件設定部１２８が設けられており、該打止条件設定部１２８は、大当り打止設定スイッチ１２９、差数打止設定スイッチ１３０を備え、前記大当り打止設定スイッチ１２９は、その設定値が１〜９の範囲で設定可能であり、１〜９の範囲で設定した場合には大当り回数がその設定値に達した状態で打止制御が行なわれ、設定値を０にすれば、大当り回数による打止めは行なわれなくなり、前記差数打止設定スイッチ１３０は、１０００〜９９０００の範囲で１０００点単位で設定可能であり、１０００〜９９０００の範囲で設定した場合には当該遊技機の差数がその設定値に達した状態で打止制御が行なわれ、設定値を００に設定すれば差数による打止めは行なわれなくなるものであり、上記打止条件設定部１２８により、複数種類の打止条件の中から所望の打止条件を選択して入力設定可能な打止条件入力設定手段が構成されているとともに、打止条件が成立したとしても大当り制御中であれば打止制御に移行しないようにした、遊技機。」
　　　　　　　　　　　　　　　　　　　　　　　　　　　　　　　　　
（２）対比 　 　 
　本願補正発明と引用発明とを対比すると、引用発明における「打止条件」は本願補正発明における「条件」に対応しており、さらに引用発明について次のことがいえる。
(i) 引用発明は、「遊技の継続を不能とするための予め定められた打止条件」が「成立したことを判定する打止条件成立判定手段」と「打止条件成立判定手段」の「判定出力に基づいて打止制御を行なう打止制御手段」（摘示a）とを備えており、引用発明における「予め定められた打止条件」が「成立したこと」とは、本願補正発明における「予め定めた条件が整うこと」に対応するとともに、「打止」が表す技術的意義に照らすと、同引用発明における「（打止条件の成立により）打止制御を行なう打止制御手段」は、本願補正発明における「（予め定めた条件が整うことにより）遊技を終了させる打止機構」に対応する。
　また引用発明は、「パチンコ遊技機やスロットマシン等で代表される遊技機」（摘示b．e）であり、「スロットマシン」である本願補正発明と、「遊技機」である点で共通している。
　そうすると、本願補正発明と引用発明とは、「予め定めた条件が整うことにより当該遊技機における遊技を終了させる打止機構を有する遊技機」である点で共通している。
　　　　　　　　　　　　　　　　　　　　　　　　　　　　　　　　　
(ii) 引用発明は、「予め定められた打止条件の中から所望の打止条件を選択して入力設定可能な打止条件入力設定手段」（摘示a）を備えており、「打止条件入力設定手段」である「打止条件設定部１２８」は、具体的には、「大当り打止設定スイッチ１２９、差数打止設定スイッチ１３０を備え」（摘示f）ている。
　そして、上記「差数打止設定スイッチ１３０」は、「１０００〜９９０００の範囲」で「１０００点単位」で「設定値」を「設定可能」であり、「設定値を００に設定すれば差数による打止めは行なわれなくな」ることで「差数打止」の打止モードを「選択」することが可能とされている。
　同様に、上記「大当り打止設定スイッチ１２９」は、「１〜９の範囲」で「設定値」を「設定可能」であり、「設定値を０にすれば、大当り回数による打止めは行なわれなくな」ることで「大当り打止」の打止モードを「選択」することが可能とされている。
　すなわち、引用発明は、「差数打止」と「大当り打止」の複数の打止モードを「選択」することが可能とされているから、本願補正発明を特定する「予め定めた複数の打止モードの中から所望の打止モードを選択する打止モード選択手段」の事項に対応する構成を実質的に備えている。
　さらに引用発明において、「打止条件入力設定手段」である「打止条件設定部１２８」が備える「差数打止設定スイッチ１３０」及び「大当り打止設定スイッチ１２９」は、それぞれの「設定値」を用いて、「選択」された「打止モード」における「打止条件」を「設定可能」とされており、上記「打止条件設定部１２８」は、本願補正発明における「打止条件を設定するための打止条件設定手段」に対応するものである。
　そうすると、引用発明は、本願補正発明を特定する「予め定めた複数の打止モードの中から所望の打止モードを選択する打止モード選択手段と、該打止モード選択手段により選択した打止モードにおける打止条件を設定するための打止条件設定手段と、を備え」の事項を実質的に備えているということができる。
　　　　　　　　　　　　　　　　　　　　　　　　　　　　　　　　　
(iii) 上記(ii)に記載したように、引用発明は、本願補正発明における「打止モード選択手段」に対応する構成を実質的に備えており、「差数打止設定スイッチ１３０」により「差数打止」の打止モードを、「大当り打止設定スイッチ１２９」により「大当り打止」の打止モードを、それぞれ「選択」することが可能とされている。
　上記の打止モードのうち、「差数打止」の打止モードにおける「差数」は、「打込玉数−賞品玉の払出数」（摘示c）を意味するものであり、「使用遊技媒体数−払出遊技媒体数」と包括的に表現することができるとともに、上記した「差数打止」の打止モードを「払出遊技媒体数が関連する遊技媒体数打止モード」と包括的に表現することができる。
　同じく上記の打止モードのうち、「大当り打止」の打止モードは、「１〜９の範囲」で設定される「大当り回数」に基づく「大当り」の打止モードであり、「特別遊技回数に基づく特別遊技打止モード」と包括的に表現することができる。
　一方、本願補正発明は、「前記打止モード選択手段で選択される打止モードには、少なくともメダル払出枚数に基づく枚数打止モード及びビッグボーナス回数に基づくボーナス打止モードを有し」ているものであり、「メダル払出枚数に基づく枚数打止モード」を「払出遊技媒体数が関連する遊技媒体数打止モード」と、「ビッグボーナス回数に基づくボーナス打止モード」を「特別遊技回数に基づく特別遊技打止モード」と、それぞれ包括的に表現することができる。
　そうすると、本願補正発明と引用発明とは、「前記打止モード選択手段で選択される打止モードには、少なくとも払出遊技媒体数が関連する遊技媒体数打止モード及び特別遊技回数に基づく特別遊技打止モードを有し」ている点で共通しているといえる。
　　　　　　　　　　　　　　　　　　　　　　　　　　　　　　　　　
(iv) 上記(ii)に記載したように、引用発明は、本願補正発明における「打止モード選択手段」に対応する構成を実質的に備えているとともに、本願補正発明における「打止条件設定手段」に対応する構成を備えている。
　具体的には、「差数打止設定スイッチ１３０」によって「差数打止」の打止モードが「選択」されたときには「打止条件」として所定数の「差数」を「設定」するものであり、上記(iii)に記載したように、「差数打止」の打止モードを「遊技媒体数打止モード」と、「打止条件」として「設定」される所定数の「差数」を「所定の遊技媒体数」と、それぞれ包括的に表現することができる。
　一方、本願補正発明は、「前記打止条件設定手段は、前記打止モード選択手段によって、前記枚数打止モードが選択されたときには前記打止条件として所定枚数のメダルの払い出しを設定」するものであり、「枚数打止モード」を「遊技媒体数打止モード」と、「打止条件」として「設定」される「所定枚数のメダルの払い出し」を「所定の遊技媒体数」と、それぞれ包括的に表現することができる。
　そうすると、本願補正発明と引用発明とは、「前記打止条件設定手段は、前記打止モード選択手段によって、前記遊技媒体数打止モードが選択されたときには前記打止条件として所定の遊技媒体数を設定」する点で共通しているといえる。
　　　　　　　　　　　　　　　　　　　　　　　　　　　　　　　　　
(v) 上記(ii)に記載したように、引用発明は、本願補正発明における「打止モード選択手段」に対応する構成を実質的に備えているとともに、本願補正発明における「打止条件設定手段」に対応する構成を備えている。
　具体的には、「大当り打止設定スイッチ１２９」によって「大当り打止」の打止モードが「選択」されたときには「打止条件」として所定回数の「大当り」の終了を「設定」するものであり、上記(iii)に記載したように、「大当り打止」の打止モードを「特別遊技打止モード」と、「打止条件」として「設定」される所定回数の「大当り」の終了を「所定回数の特別遊技の終了」と、それぞれ包括的に表現することができる。
  一方、本願補正発明は、「前記打止モード選択手段によって、前記ボーナス打止モードが選択されたときには前記打止条件として所定回数のビッグボーナスの終了を設定」するものであり、「ボーナス打止モード」を「特別遊技打止モード」と、「打止条件」として「設定」される「所定回数のビッグボーナスの終了」を「所定回数の特別遊技の終了」と、それぞれ包括的に表現することができる。
　そうすると、本願補正発明と引用発明とは、「前記打止モード選択手段によって、前記特別遊技打止モードが選択されたときには前記打止条件として所定回数の特別遊技の終了を設定」する点で共通しているといえる。
　　　　　　　　　　　　　　　　　　　　　　　　　　　　　　　　　
(vi) 引用発明は、「打止条件が成立したとしても大当り制御中であれば打止制御に移行しないようにした」（摘示i）ものであり、「大当り制御中」に「成立した打止条件」は、「差数打止条件」であることが引用例の摘示g．h．j及び第１３Ａ図から明らかであり、引用発明が実質的に備える「打止モード選択手段」（上記(ii)参照）によって、「差数打止」の打止モードが選択されたときに、「大当り制御中」において、前記打止条件として設定された所定の「差数」に達して打止条件を満足している場合であっても打ち止め状態とせず、当該「大当り制御」の終了を待って、打ち止め状態を発生させるものといえる。そして、上記(iv)に記載したように、引用発明における「差数打止」の打止モードは「遊技媒体数打止モード」と、「大当り制御中」（「大当り中」）を「特別遊技中」と、それぞれ包括的に表現することができるとともに、上記の「所定の『差数』に達して打止条件を満足している場合」を包括して「所定の遊技媒体数に達して打止条件を満足している場合」と表現することができる。
　一方、本願補正発明は、「前記打止モード選択手段によって、前記枚数打止モードが選択されたときに、ボーナスゲーム中において、前記打止条件として設定された所定枚数のメダルが払い出されて打止条件を満足している場合であっても打ち止め状態とせず、当該ボーナスゲームの終了を待って、打ち止め状態を発生させる」ものであり、「枚数打止モード」を「遊技媒体数打止モード」と、「ボーナスゲーム中」を「特別遊技中」と、それぞれ包括的に表現することができるとともに、上記の「所定枚数のメダルが払い出されて打止条件を満足している場合」を包括して「所定の遊技媒体数に達して打止条件を満足している場合」と表現することができる。
　そうすると、本願補正発明と引用発明とは、「前記打止モード選択手段によって、前記遊技媒体数打止モードが選択されたときに、特別遊技中において、前記打止条件として設定された所定の遊技媒体数に達して打止条件を満足している場合であっても打ち止め状態とせず、当該特別遊技の終了を待って、打ち止め状態を発生させる」点で共通しているといえる。
　　　　　　　　　　　　　　　　　　　　　　　　　　　　　　　　　
　以上の事項より、本願補正発明と引用発明とは以下の点で一致し、また、相違していると認められる。
一致点；
　予め定めた条件が整うことにより当該遊技機における遊技を終了させる打止機構を有する遊技機であって、上記遊技機は、予め定めた複数の打止モードの中から所望の打止モードを選択する打止モード選択手段と、該打止モード選択手段により選択した打止モードにおける打止条件を設定するための打止条件設定手段と、を備え、前記打止モード選択手段で選択される打止モードには、少なくとも払出遊技媒体数が関連する遊技媒体数打止モード及び特別遊技回数に基づく特別遊技打止モードを有し、前記打止条件設定手段は、前記打止モード選択手段によって、前記遊技媒体数打止モードが選択されたときには前記打止条件として所定の遊技媒体数を設定し、前記打止モード選択手段によって、前記特別遊技打止モードが選択されたときには前記打止条件として所定回数の特別遊技の終了を設定し、前記打止モード選択手段によって、前記遊技媒体数打止モードが選択されたときに、特別遊技中において、前記打止条件として設定された所定の遊技媒体数に達して打止条件を満足している場合であっても打ち止め状態とせず、当該特別遊技の終了を待って、打ち止め状態を発生させる遊技機、である点。
　　　　　　　　　　　　　　　　　　　　　　　　　　　　　　　　　
相違点；                             
(A) 本願補正発明はスロットマシンであるのに対して、引用発明は遊技機である点。
　　　　　　　　　　　　　　　　　　　　　　　　　　　　　　　　　
(B) (B-1) 払出遊技媒体数が関連する遊技媒体数打止モードが選択されたときに打止条件として設定する所定の遊技媒体数が、本願補正発明では所定枚数のメダルの払い出しであるのに対して、引用発明では差数であり、
　　(B-2) 所定の遊技媒体数に達して打止条件を満足している場合が、本願補正発明では所定枚数のメダルが払い出されて打止条件を満足している場合であるのに対して、引用発明では所定の差数に達して打止条件を満足している場合である点。
　　　　　　　　　　　　　　　　　　　　　　　　　　　　　　　　　
(C) (C-1) 特別遊技が、本願補正発明ではボーナスゲームであるのに対して、引用発明では大当りであり、
　　(C-2) 特別遊技打止モードが選択されたときに打止条件として設定する特別遊技の終了回数が、本願補正発明ではビッグボーナスの終了回数であるのに対して、引用発明では大当りの終了回数である点。
　　　　　　　　　　　　　　　　　　　　　　　　　　　　　　　　　
（３）判断
　上記の相違点について検討する。
　相違点(A)について
　引用発明は「遊技機」を対象としており、該「遊技機」は「スロットマシン」を包含するものであることが、引用例に明示的に記載（摘示b．e）されている。
　そうすると、引用発明に接した当業者であれば、引用発明が備える各構成が「スロットマシン」において、どのように具体化されるものであるのかを十分に認識するものであり、引用発明に係る「遊技機」を「スロットマシン」とすることは、単なる設計の変更にすぎない。
　　　　　　　　　　　　　　　　　　　　　　　　　　　　　　　　　
　相違点(B)について
　(B-1) 本願補正発明は、払出遊技媒体数が関連する遊技媒体数打止モードが選択されたときに打止条件として所定枚数のメダルの払い出しを設定するものであり、遊技者が使用したメダルの枚数（使用遊技媒体数）に関係なく、遊技機が払い出したメダルの枚数（払出遊技媒体数）を「打止条件が成立」する指標として用いるものである。
　これに対して引用発明は、払出遊技媒体数が関連する遊技媒体数打止モードが選択されたときに打止条件として「差数（打込玉数−賞品玉の払出数）」を設定するもので、「差数が一定値（負の値）以下になった場合に打止条件が成立」（摘示c）することとし、遊技者が使用した打込玉数（使用遊技媒体数）と、遊技機が払い出した賞品玉の払出数（払出遊技媒体数）との差を「打止条件が成立」する指標として用いるものである。
　ここで、遊技機が払い出した払出遊技媒体数も、遊技者が使用した使用遊技媒体数も、遊技機を管理する上での指標として通常用いられており、打止条件の管理においても、遊技機が払い出した払出遊技媒体数のみを用い（本願補正発明）ても、遊技者が使用した使用遊技媒体数と遊技機が払い出した払出遊技媒体数とを用い（引用発明）ても、共に「打止条件が成立」する指標と成りうることは、当業者であれば容易に理解するところであるから、使用遊技媒体数と払出遊技媒体数とを「打止条件が成立」する指標として用いる引用発明において、払出遊技媒体数のみを「打止条件が成立」する指標とすることは、単なる設計事項にすぎない。                
　また、「相違点(A)について」に記載したように、引用発明に係る「遊技機」を「スロットマシン」とすることは、単なる設計の変更にすぎず、「スロットマシン」においては遊技媒体としてメダルが用いられることは自明な事項である。
　そうすると、引用発明における打止条件の一つである所定数の差数に代えて、所定枚数のメダルの払い出しを打止条件の一つとして、相違点(B-1)に係る本願補正発明の発明特定事項を得ることは、当業者が容易になし得たものである。
　(B-2) 上記(B-1)に記載したように、引用発明における打止条件の一つである所定数の差数に代えて、所定枚数のメダルの払い出しを打止条件の一つとすることは当業者が容易になし得たものであり、上記の改変を行うと、引用発明において、打止条件の一つを満足するのは、所定枚数のメダルが払い出されて打止条件を満足している場合となり、相違点(B-2)に係る本願補正発明の発明特定事項が容易に得られることとなる。
　　　　　　　　　　　　　　　　　　　　　　　　　　　　　　　　　
  相違点(C)について
  (C-1)「相違点(A)について」に記載したように、引用発明に係る「遊技機」を「スロットマシン」として具体化することは、単なる設計の変更にすぎず、「スロットマシン」における特別遊技はボーナスゲームであることは当業者にとって自明な事項である。
　そうすると、引用発明に係る「遊技機」を「スロットマシン」とするに伴って、同引用発明における特別遊技である大当りをボーナスゲームに変更することは単なる設計事項にすぎない。
　(C-2) 上記(C-1)に記載したように、引用発明に係る「遊技機」を「スロットマシン」とする設計の変更を行うと、必然的に、特別遊技がボーナスゲームとして具体化されるものであり、さらに、ボーナスゲームはビッグボーナスゲームを包含する概念である。
　そうすると、引用発明に係る「遊技機」を「スロットマシン」とするに伴って、同引用発明において、特別遊技打止モードが選択されたときに打止条件として設定する特別遊技の終了回数は、ビッグボーナスの終了回数として具体化され得るものであり、相違点(C-2)は当業者が適宜になし得る設計事項にすぎない。
　　　　　　　　　　　　　　　　　　　　　　　　　　　　　　　　　
　そして、相違点(A)ないし(C)に係る発明特定事項を備えた本願補正発明の効果も、引用発明が本来奏する効果から当業者が予測し得る範囲内のものであって、格別顕著なものとはいえない。
　したがって、本願補正発明は、引用発明に基いて、当業者が容易に発明をすることができたものであるから、特許出願の際独立して特許を受けることができない。
 　　　　　　　　　　　　　　　　　　　　　　　　　　　　　　　　　
（４）むすび
　以上のとおり、本件補正は、平成１８年改正前の特許法第１７条の２第５項において準用する同法第１２６条第５項の規定に違反するものであり、特許法第１５９条第１項の規定において読み替えて準用する同法第５３条第１項の規定により却下されるべきものである。
　　　　　　　　　　　　　　　　　　　　　　　　　　　　　　　　　
３．本願発明について
　平成１６年３月１７日付けの手続補正は上記のとおり却下されたので、本願の請求項１に係る発明（以下、「本願発明」という。）は、平成１５年１１月２８日付け手続補正書の特許請求の範囲の請求項１に記載された事項により特定される、以下のとおりのものである。
「 予め定めた条件が整うことにより当該スロットマシンにおける遊技を終了させる打止機構を有するスロットマシンであって、
　上記スロットマシンは、
　予め定めた複数の打止モードの中から所望の打止モードを選択する打止モード選択手段と、
　該打止モード選択手段により選択した打止モードにおける打止条件を設定するための打止条件設定手段と、を備え、
　前記打止モード選択手段で選択される打止モードには、少なくともメダル払出枚数に基づく枚数打止モード及びビッグボーナス回数に基づくボーナス打止モードを有し、
　前記打止条件設定手段は、
　前記打止モード選択手段によって、前記枚数打止モードが選択されたときには前記打止条件として所定枚数所定枚数のメダルの払い出しを設定し、
　前記打止モード選択手段によって、前記ボーナス打止モードが選択されたときには前記打止条件として所定回数のビッグボーナスの終了を設定し、
　前記打止モード選択手段によって、前記枚数打止モードが選択されたときに、ボーナスゲーム中において、前記打止条件として設定された所定枚数のメダルが払い出されて打止条件を満足している場合であっても、当該ボーナスゲームの終了を待って、打ち止め状態を発生させる、
　ことを特徴とするスロットマシン。」
　　　　　　　　　　　　　　　　　　　　　　　　　　　　　　　　　
（１）引用発明
　原査定の拒絶の理由に引用された引用例、および、その記載事項は、前記「２．（１）」に記載したとおりである。
　　　　　　　　　　　　　　　　　　　　　　　　　　　　　　　　　
（２）対比・判断
　本願発明は、前記２．で検討した本願補正発明から「打ち止め状態とせず」の限定事項を省き、より広義な概念で特定するものである。
　そうすると、本願補正発明における発明特定事項を全て含み、さらに他の事項を付加したものに相当する本願補正発明が、前記「２．（３）」に記載したとおり、引用発明に基いて、当業者が容易に発明をすることができたものであるから、限定事項を省いてより広義な概念で特定される本願発明も、引用発明に基いて当業者が容易に発明をすることができたものである。
　　　　　　　　　　　　　　　　　　　　　　　　　　　　　　　　　
（３）むすび
　以上のとおり、本願発明は、引用発明に基づいて当業者が容易に発明をす
ることができたものであるから、特許法第２９条第２項の規定により特許を受けることができない。
　よって、本願の他の請求項について論じるまでもなく、結論のとおり審決する。